(57)【要約】【課題】  選挙の候補者やコンサートの演者，観客が着用する手袋について、遠方から確認することのできる表示機能を備えた安価，軽量な手袋を提供する。【解決手段】  手袋本体１の手の平側１１の手挿入口１２付近に複数本の装飾片２が並列されて取付けられている。装飾片２は、着用された手の腕側に垂れて手を振ることによって緩慢且つ複雑に揺動する薄帯状であり、多数本が並列されて取付けられている。装飾片２は、手袋本体１に対して着脱可能とすることもできる。【選択図】        図１
0003196332.tif 000002
【実用新案登録請求の範囲】
【請求項１】
手の平側の手挿入口付近に複数本の装飾片が並列されて取付けられ、装飾片は着用された手の腕側に垂れて手を振ることによって緩慢に揺動する薄帯状であることを特徴とする手袋
【請求項２】
請求項１の手袋において、装飾片は面ファスナによって着脱可能であることを特徴とする手袋。
【考案の詳細な説明】
【技術分野】
【０００１】
本考案は、遠方から確認することのできる表示機能を備えて手に着用される手袋に係る技術分野に属する。
【背景技術】
【０００２】
最近、手袋には、防寒，装飾等の外に各種の機能が備えられるようになってきている。特に、選挙の候補者やコンサートの演者，観客が着用する手袋については、遠方から確認することのできる表示機能が要求される。
【０００３】
従来、遠方から確認することのできる表示機能を備えた手袋としては、例えば、特許文献１に記載のものが知られている。
【０００４】
特許文献１には、手の甲側（表側）と手の平側（裏側）とに発光体を取付けてなる手袋が記載されている。
【０００５】
特許文献１に係る手袋は、発光体の発光によって遠方からでも確認することができるようにしたもので、表側，裏側で発光色を変えることによって交通整理等に役立てようとするものである。
【先行技術文献】
【特許文献】
【０００６】
【特許文献１】実用新案登録第２５７２２５９号公報
【考案の概要】
【考案が解決しようとする課題】
【０００７】
特許文献１に係る手袋では、電源，制御回路等を含んで発光体を取付けるため、重量が重くなってしまうとともに製造コストが高くなってしまうという問題点がある。
【０００８】
本考案は、このような問題点を考慮してなされたもので、遠方から確認することのできる表示機能を備えた安価，軽量な手袋を提供することを課題とする。
【課題を解決するための手段】
【０００９】
前述の課題を解決するため、本考案に係る手袋は、実用新案登録請求の範囲の各請求項に記載の手段を採用する。
【００１０】
即ち、請求項１では、手の平側の手挿入口付近に複数本の装飾片が並列されて取付けられ、装飾片は着用された手の腕側に垂れて手を振ることによって緩慢に揺動する薄帯状であることを特徴とする。
【００１１】
この手段では、薄帯状の装飾片が手の平側の手挿入口付近に取付けられ腕側に垂れていることで、手を振ることによって装飾片が風（空気の抵抗）によってひらひらなびくように緩慢に且つ複雑に揺動する。また、薄帯状の装飾片が安価，軽量であることから、縫着，接着等で簡単に取付けることができる。
【００１２】
また、請求項２では、請求項１の手袋において、装飾片は面ファスナによって着脱可能であることを特徴とする。
【００１３】
この手段では、装飾片が面ファスナによって着脱可能とされることで、装飾片の交換が可能になる。
【考案の効果】
【００１４】
本考案に係る手袋は、薄帯状の装飾片が手の平側の手挿入口付近に取付けられ腕側に垂れていることで、手を振ることによって装飾片が風によってひらひらなびくように緩慢に揺動するため、遠方から確認することのできる表示機能を備えることができる効果がある。また、薄帯状の装飾片が安価，軽量であることから、縫着，接着等で簡単に取付けることができるため、重量が重くなってしまったり製造コストが高くなってしまうことがない効果がある。
そして、装飾片が多数本が並列されることで、装飾片の揺動が複雑化するため、遠方から確認することのできる表示機能が強化される効果がある。
【００１５】
さらに、請求項２として、装飾片が面ファスナによって着脱可能とされることで、装飾片の交換が可能になるため、装飾片を選択取付けして遠方から確認することのできる表示機能をより強化することができる効果がある。
【図面の簡単な説明】
【００１６】
【図１】本考案に係る手袋を実施するための形態の第１例の正面図である。
【図２】図１の分解図である。
【図３】図１の要部の拡大断面図である。
【図４】図１の使用状態図である。
【図５】本考案に係る手袋を実施するための形態の第２例の正面図である。
【考案を実施するための形態】
【００１７】
以下、本考案に係る手袋を実施するための形態を図面に基づいて説明する。
【００１８】
図１〜図４は、本考案に係る手袋を実施するための形態の第１例を示すものである。
【００１９】
第１例では、選挙の候補者が着用するのに好適なものを示してある。
【００２０】
第１例は、手袋本体１と装飾片２とで構成されている。
【００２１】
手袋本体１は、白色の薄い布製からなるもので、無駄な装飾が施されていない清潔感のあるものとなっている。
【００２２】
装飾片２は、薄帯状からなるもので、例えば装飾用テープ，装飾用リボンとして市販されているものが選択される。長さａは、手袋本体１の長さｂが２０ｃｍである場合に、１８ｃｍ程度とするのが好ましい（図２参照）。また、幅ｃは、１〜１．２ｃｍとするのが好ましい。材質としては、薄性であるが捻れたり捩れたりしない保形性を有していることが必要とされる。なお、薄性であることを阻害しなければ、繊維状，粒状の蛍光材料や反射材料が含まれていても差支えない。
【００２３】
この装飾片２は、図３に示すように、２つ折りにされた折返し部分が手袋本体１の手の平側（裏側）１１の手挿入口１２付近に糸３での縫着により取付けられ、３本が手の幅方向へ並列されている。従って、手袋本体１が手に着用されると、装飾片２が腕側に垂れる格好となる。なお、糸３での縫着が装飾片２のある程度厚みのある２つ折りにされた折返し部分で行われるため、かなりの縫着強度が確保され、装飾片２が簡単に手袋本体１から脱落するようなことはない。
【００２４】
第１例によると、図４に示すように、手袋本体１を手に着用して手を振ると、装飾片２が風（空気の抵抗）によってひらひらなびくように緩慢に揺動することになる。従って、遠くから見ると、白い手袋（手袋本体１）の主動作に追従して手袋の下方側にひらひらする副動作が視認されることになる。この結果、遠方から強い印象で確認することのできる表示機能が備えられることになる。
【００２５】
さらに、装飾片２については、市販されている安価，軽量なものを選択することができ、縫着で簡単に手袋本体１に取付けるられている。従って、重量が重くなってしまったり製造コストが高くなってしまうことがない。 
【００２６】
図５は、本考案に係る手袋を実施するための形態の第２例を示すものである。
【００２７】
第２例は、第１例の手袋本体１の手の平側（裏側）１１の手挿入口１２付近と装飾片２の２つ折りにされた折返し部分とに面ファスナ４，５を取付けてある。
【００２８】
第２例によると、手袋本体１に対して装飾片２が着脱可能になって、装飾片２の交換が可能になるため、必要な表示機能に適応した装飾片２を選択取付けすることができる。従って、遠方から確認することのできる表示機能をより強化することができる。
【００２９】
以上、図示した各例の外に、第１例について装飾片２を接着剤で手袋本体１に接着して取付けることも可能である。
【００３０】
さらに、第２例についてホック等で装飾片２を手袋本体１に着脱可能にすることも可能である。
【００３１】
さらに、第１例，第２例について装飾片２を１本または２本としたり４本以上並列させることも可能である。また、複数本の装飾片２の幅ｃを異ならせることも可能である。
【産業上の利用可能性】
【００３２】
本考案に係る手袋は、選挙の候補者の外に、コンサートの演者，観客等の着用に適用することが可能である。
【符号の説明】
【００３３】
１            手袋本体
１１          手の平側
１２          手挿入口
２            装飾片
４，５        面ファスナ
【図１】
0003196332.tif 000003
【図２】
0003196332.tif 000004
【図３】
0003196332.tif 000005
【図４】
0003196332.tif 000006
【図５】
0003196332.tif 000007